(57)【要約】【課題】本考案は、信号の伝送を高める電気コネクタを提供することを目的とする。【解決手段】本考案の電気コネクタは、回路基板に取り付けられる。前記電気コネクタは絶縁性本体と、絶縁性本体に装着される定位部材と、第１、第２端子とを備える。絶縁性本体は、基部と、基部から突伸して相手面を含んで、複数の端子溝と端子溝に対して前記相手面に寄る複数の凹所とが形成される舌板とを含む。各第１端子は、絶縁性本体に嵌合される嵌入部と、前記絶縁性本体の凹所に露出される平板状な第１接触部と、嵌入部から延出する第１半田接続部とを有する。各第２端子は、前記定位部材に固着される固着部と、前記端子溝に露出される弾力な第２接触部と、前記固着部から延出する第２半田接続部とを有する。【選択図】図２
0003150384.tif 000002
【実用新案登録請求の範囲】
【請求項１】
回路基板に取り付けられる電気コネクタにおいて、
基部と、基部から突伸して相手面を含んで、複数の端子溝と端子溝により前記相手面にさらに寄る複数の凹所とが形成される舌板とを含む絶縁性本体と、
絶縁性本体に嵌合される嵌入部と、前記絶縁性本体の凹所に露出される平板状な第１接触部と、嵌入部から延出する第１半田接続部とを有する複数の第１端子と、
絶縁性本体に装着される定位部材と、
前記定位部材に固着される固着部と、前記端子溝に露出される弾力な第２接触部と、前記固着部から延出する第２半田接続部とを有する複数の第２端子と、
を備えることを特徴とする電気コネクタ。
【請求項２】
前記第１、第２接触部が舌板の同側に向かって露出され、前記第１端子がインサートモールドによって絶縁性本体に嵌合されることを特徴とする請求項１に記載の電気コネクタ。
【請求項３】
各端子溝の端部には前記端子溝の幅より大きい幅を含む嵌合溝が形成され、前記定位部材には前記嵌合溝に嵌め込まれる複数の嵌合部が設けられることを特徴とする請求項２に記載の電気コネクタ。
【請求項４】
前記絶縁性本体の舌板が回路基板に対して直立に配置され、前記第１端子の嵌入部と第２端子の固着部が直立な線状に形成されることを特徴とする請求項１に記載の電気コネクタ。
【請求項５】
前記絶縁性本体の舌板が回路基板に対して垂直に配置され、舌板の相手面が回路基板と直交し、第１端子の嵌入部と第２端子の固着部が湾曲状に折曲されることを特徴とする請求項１に記載の電気コネクタ。
【請求項６】
前記第１、第２端子の第１、第２半田接続部が回路基板に向かって回路基板に対して直交に折り曲げ、回路基板に連接されることを特徴とする請求項４或いは請求項５のいずれかの請求項に記載の電気コネクタ。
【請求項７】
前記第１、第２端子の第１、第２半田接続部が回路基板に対して平行に折り曲げ、表面の溶接技術で回路基板に連接されることを特徴とする請求項４或いは請求項５のいずれかの請求項に記載の電気コネクタ。
【請求項８】
前記電気コネクタは、絶縁性本体を遮蔽するハウジングを有することを特徴とする請求項１に記載の電気コネクタ。
【考案の詳細な説明】
【技術分野】
【０００１】
本考案は、電気コネクタに関し、特に、ＵＳＢ（Ｕｎｉｖｅｒｓａｌ  Ｓｅｒｉａｌ  Ｂｕｓ）標準を符合した電気コネクタに関するものである。
【背景技術】
【０００２】
図１４及び図１５に示すように、従来技術のＵＳＢコネクタは、２．０標準を符合する標準のプラグコネクタ７００と標準のソケットコネクタ６００とを具備する。プラグコネクタ７００には、ケーブル７７と該ケーブル７７を被覆する絶縁本体７５とを有する。該絶縁本体７５は、舌片７２と、舌片７２に装着される四つのプラグ端子７３と、前記舌片７２とプラグ端子７３とを被覆するハウジング７４とを備える。舌片７２の上表面とハウジング７４の間には、ソケットコネクタ６００の舌片６２を収納するための収納孔６６が形成される。プラグ端子７３は、パワー端子７３１と、負信号端子７３２と、正信号端子７３３と、接地端子７３４とを含む。コネクタソケット６００は舌片６２と、舌片６２の下表面に実装される四つのソケット端子６３と、ハウジング６４とを備える、前記ソケット端子６３はパワー端子６３１と、負信号端子６３２と、正信号端子６３３と、接地端子６３４とを含む。プラグ７００がソケット６００と連接する時、ソケット端子６３がプラグ端子７３と電気接続する。
【考案の概要】
【考案が解決しようとする課題】
【０００３】
信号を転送する速度を高めるため、通常の端子には複数の付加端子を増加する必要がある。同時に、通常のＵＳＢコネクタが占めるスペースを増加させないことが求められる。
【０００４】
そこで本考案は、上述の従来技術の問題に鑑み、信号を転送する速度を高める電気コネクタを提供することを目的とする。
【課題を解決するための手段】
【０００５】
前記目的を達成するために、本考案の電気コネクタは、回路基板に取り付けられる。前記電気コネクタは、絶縁性本体と、絶縁性本体に装着される定位部材と、第１、第２端子とを備える。絶縁性本体は、基部と、基部から突伸して相手面を含んで、複数の端子溝と端子溝に対して前記相手面に寄る複数の凹所とが形成される舌板とを含む。各第１端子は、絶縁性本体に嵌合される嵌入部と、前記絶縁性本体の凹所に露出される平板状な第１接触部と、嵌入部から延出する第１半田接続部とを有する。各第２端子は、前記定位部材に固着される固着部と、前記端子溝に露出される弾力な第２接触部と、前記固着部から延出する第２半田接続部とを有する。
【考案の効果】
【０００６】
従来の技術に比べると、本考案は以下の長所がある。本考案の電気コネクタは、従来の２．０標準のＵＳＢコネクタに比べて、第２端子が増加される。これにより、信号伝送の速度が増加する。
【図面の簡単な説明】
【０００７】
【図１】本考案の第１実施状態における電気コネクタの組立図である。
【図２】図１に示す電気コネクタの部分の分解図である。
【図３】図１に示す電気コネクタの別の部分の分解斜視図である。
【図４】図１に示す電気コネクタの分解斜視図である。
【図５】図１に示す電気コネクタの別の分解斜視図である。
【図６】本考案の第２実施状態における電気コネクタの部分の分解斜視図である。
【図７】本考案の第３実施状態の電気コネクタの組立斜視図である。
【図８】図７に示す電気コネクタの部分の分解斜視図である。
【図９】図７に示す電気コネクタの別の部分の分解斜視図である。
【図１０】図７に示す電気コネクタの分解斜視図である。
【図１１】図７に示す電気コネクタの別の分解斜視図である。
【図１２】第４実施状態における電気コネクタの組立斜視図である。
【図１３】図１２に示す電気コネクタの部分な分解斜視図である。
【図１４】従来の２．０標準のプラッグコネクタの斜視図である。
【図１５】従来の２．０標準のソケットコネクタの斜視図である。
【考案を実施するための形態】
【０００８】
図１〜図５を参照すると、第１実施状態において、電気コネクタ１００は、絶縁性本体１と、絶縁性本体１に挿入される複数の第１端子３１と、絶縁性本体１に装着される定位部材２と、定位部材２に挿入される複数の第２端子３２と、絶縁性本体１と定位部材２を遮蔽するハウジング４とを備える。第１端子３１及び第２端子３２は端子３と呼ばれる。
【０００９】
図３及び図４に示すように、絶縁性本体１は、基部１１と、基部１１から突伸する舌板１２とを備える。基部１１の内側には、横方向に沿って延在する突出部１４が設けられる。舌板１２の内側には、縦方向に沿って延在する四つの端子溝１３が形成される。各端子溝１３の底部には端子溝１３と貫通する嵌合溝１７が形成される。嵌合溝１７の幅は対応する端子溝１３の幅より大きい。端子溝１３の上部には、五つの凹所１８が形成される。凹所１８には円形な定位孔１６が形成される。
【００１０】
定位部材２の内側には、横方向に沿って延在する凹溝２４が形成される。凹溝２４の上には複数の嵌合部２３が設けられる。定位部材２の外側には複数の係合部２５が設けられる。
【００１１】
第１端子３は、二対の差分信号端子と、二対の差分信号端子の間に配置される接地端子とを含む。各第１端子３１は、直線状な嵌入部３１２と、嵌入部３１２の末端から延在する第１半田接続部３１３と、嵌入部３１２の端部に設けられる平板状な第１接触部３１１とを備える。
【００１２】
第２端子３２は、パワー端子と、接触端子と、パワー端子と接触端子の間に配置される一対の差分信号端子とを備える。各第２端３２は、直立的にＺ字状な固着部３２１と、固着部３２１から延在する第２半田接続部３１３と、固着部３２１の端部に設けられる弾力な第２接触部３２４とを備える。
【００１３】
ハウジング４は、複数の弾力片４１と、ハウジング４の底部に形成される複数の係合溝４５と、ハウジング４から延在する取付足４３とを備える。
【００１４】
図１〜図５に示すように、電気コネクタ１００を取り付ける時、先ず、第１端子３１が絶縁性本体１にインサートモールドによって固着される。第１端子３１の平板状な第１接触部３１１が絶縁性本体１の凹所１８に露出される。この過程で、第１端子３１の第１接触部３１１が定位孔１６によって位置決めされる。第２端子３２の固着部３２１が定位部材２に固着される。定位部材２が絶縁性本体１に装着される。第２端子３２の固着部３２１が絶縁性本体１の端子溝１３に挿入される。第２端子３２の第２接触部３２４が絶縁性本体１の端子溝１３から露出される。定位部材２の嵌合部２３が絶縁性本体１の嵌合溝１７に嵌合される。絶縁性本体１の突出部１４が定位部材２の凹溝２４に嵌め込まれる。最後、ハウジング４が絶縁性本体１を遮蔽する。ハウジング４の係合溝４５が定位部材２の凹孔２５と係合する。第１、第２端子３１，３２の第１、第２半田接続部３１３，３２３とハウジング４の取付足４３とは、下向きに延在して回路基板（図示せず）に半田接続される。図１に示すように、電気コネクタ１００が直立に回路基板に取付される。
【００１５】
図６を参照すると、第２実施状態における電気コネクタ１００の第１、第２端子３１，３２の第１、第２半田接続部３１３、３２３が水平に折り曲げられる。この電気コネクタ１００は、共面な第１、第２半田接続部３１３、３２３によって表面の溶接技術で回路基板に固着される。
【００１６】
図７〜図１１を参照すると、第３の実施状態において、電気コネクタ１００’は、絶縁性本体１’と、絶縁性本体１’にインサートモールドにて嵌合される五つの第１端子３１’と、絶縁性本体１’に装着される定位部材２’と、定位部材２’に挿入される四つの第２端子３２’と、絶縁性本体１’を被覆するハウジング６’とを備える。
【００１７】
絶縁性本体１’は、基部１１’と、基部１１’から突伸する舌板１２’とを備える。舌板１２’は、四つの端子溝１２２’と、端子溝１２２’の端部に形成される嵌合溝１２１’と、五つの凹溝１２３’とを含む。定位部材２’は、矩形の板状部２０’と、板状部２０’に設けられる複数の凸状部片２１’と、二つの凸状部片２１’の間に形成されるスリット２２’とを有する。
【００１８】
各第１端子３１’は、湾曲状に折り曲げられる嵌入部３１２’と、嵌入部３１２’の端部に設けられる平板状な第１接触部３１１’と、嵌入部３１２’から垂直に折り曲げられる第１半田接続部３１３’とを備える。
【００１９】
各第２端子３２’は、湾曲状に折り曲げられる固着部３２１’と、固着部３２１’の端部に設けられる弾力な第２接触部３２４’と、第２固着部３２２’から垂直に折り曲げられる第２半田接続部３２３’とを備える。
【００２０】
電気コネクタ１００’を取り付ける時、第１端子３１’が絶縁性本体１’にインサートモールドによって嵌合される。第１端子３１’の嵌入部３１２’が端子溝１２２’に嵌合され、第１接触部３１１’が凹溝１２３’に露出される。第２端子３２’が絶縁性本体１’の端子溝１２２’に挿入される。第２端子３２’の第２接触部３２４’が端子溝１２２’から露出される。定位部材２’が絶縁性本体１に付着される。第２端子３２’が定位部２’のスリット２２’に嵌め込まれる。最後に、ハウジング６’を絶縁性本体１’に被覆する。ハウジング６’に設けられる複数の弾力片６１０’が絶縁性本体１’と定位部２’の凹口１１３０’、２０２０’に当接する。この電気コネクタ１００’は、共面な第１、第２半田接続部３１３’、３２３’によって表面の溶接技術で回路基板に固着される。この時、絶縁性本体１’の舌板１２’が、回路基板に対して直交するとともに、舌板１２’の前端に形成される相手面１０１’が回路基板に対して直交する。
【００２１】
図１２〜１３に示すように、第四実施状態において、第１、第２半田接続部３１３’，３２３’とは、下向きに折曲されて回路基板に連接される。
【００２２】
従来の２．０標準のＵＳＢコネクタに対して、第１端子３１，３１’が増加する。これにより、信号伝送の速度が増加する。又、第２端子３２，３２’が定位部材２，２’に嵌合された後絶縁性本体１，１’に実装される。これにより、第２端子３２，３２’が保護される。又、絶縁性本体１の舌板１２が回路基板と直交するように配置される。これにより、回路基板に占められるスペースを節約できる。
【００２３】
以上、本考案について好ましい実施形態を参照して詳細に説明したが、実施形態はあくまでも例示的なものであり、これらに限定されるものではない。また上述の説明は、本考案に基づき成し得る細部の修正或いは変更などは、いずれも本考案の技術的範囲に属するものである。
【符号の説明】
【００２４】
１００，１００’  電気コネクタ
１  絶縁性本体
１１  基部
１２  舌板
１３  端子溝
１４  突出部
１５  凸状部片
１６  定位孔
１７  嵌合溝
１８  凹所
２  定位部材
２３  嵌合部
２４  凹溝
２５  係合部
３  端子
３１  第１端子
３１１  第１接触部
３１２  嵌入部
３１３  第１半田接続部
３２  第２端子
３２１  固着部
３２３  第２半田接続部
３２４  第２接触部
４  ハウジング
４１  弾力片
４３  取付足
４５  係合溝
１００’  電気コネクタ
１’  絶縁性本体
１０１’  相手面
１１’  基部
１１３０’、２０２０’  凹口
１２’  舌板
１２１’  嵌合溝
１２２’  端子溝
１２３’  凹所
１２４’  相手面
２’  定位部材
２０’  板状部
２１’  凸状部片
２２’  スリット
３’  端子
３１’  第１端子
３１１’  第１接触部
３１２’  嵌入部
３１３’  第１半田接続部
３２’  第２端子
３２１’  固着部
３２３’  第２半田接続部
３２４’  第２接触部
６’  ハウジング
７００  標準のプラグコネクタ
７２  舌片
７３  プラグ端子
７４  ハウジング
７３１  パワー端子
７３２  負信号端子
７３３  正信号端子
７３４  接地端子
１’  絶縁性本体
１０’  中間板
１１１’  係合部
１２’  第１舌板
１２１’、１３１’  凹溝
１２２’、１３２’  端子溝
１２３’、１３３’  凹所
１２４’、１３４’係合溝
１３’  第２舌板
１４’  定位部
１４１’  突出壁
１４２’  突出部
３１’  第１端子
３２’  第２端子
３４’  主体部
３６’  連接部
３７’  延在部
３８’  接触部
３９’、４９’  半田接続部
６’  第１ハウジング
６２’  足部
７’  第２ハウジング
【図１】
0003150384.tif 000003
【図２】
0003150384.tif 000004
【図３】
0003150384.tif 000005
【図４】
0003150384.tif 000006
【図５】
0003150384.tif 000007
【図６】
0003150384.tif 000008
【図７】
0003150384.tif 000009
【図８】
0003150384.tif 000010
【図９】
0003150384.tif 000011
【図１０】
0003150384.tif 000012
【図１１】
0003150384.tif 000013
【図１２】
0003150384.tif 000014
【図１３】
0003150384.tif 000015
【図１４】
0003150384.tif 000016
【図１５】
0003150384.tif 000017